(57)【要約】      （修正有）【課題】白熱電球の代わりとしての使用勝手を実現するとともに、懐中電灯として使用可能なＬＥＤ電球を提供する。【解決手段】ＬＥＤ電球は、照明用のＬＥＤ５４Ｗ及び位置報知用のＬＥＤ５４Ｒと、筐体と、口金と、交流電流を直流電流に変換するＡＣ−ＤＣ変換回路７０と、ＬＥＤ５４Ｒ、５４Ｗに直流電流を供給する充電電池６２と、手動操作スイッチと、手動操作スイッチの操作に応じて、ＬＥＤ５４Ｗ、５４Ｒの電源切替制御を行う切替制御回路７４とを備え、充電電池６２は、変換回路７０によって充電され、切替制御回路７４は、変換回路７０によってＬＥＤ５４Ｗを点灯させかつ充電電池６２によってＬＥＤ５４Ｒを点灯させる通常状態と、ＬＥＤ電球をソケットから外した状態で、充電電池６２によってＬＥＤ５４Ｗを点灯させる点灯状態と、ＬＥＤ５４Ｗを消灯させる消灯状態とのいずれかに手動操作スイッチの操作に応じて切り替える。【選択図】図４
0003176527.tif 000002
【実用新案登録請求の範囲】
【請求項１】
複数の照明用ＬＥＤ及び使用者に位置を報知する報知用ＬＥＤを搭載したＬＥＤ基板と、
当該ＬＥＤ基板を収納する筐体と、
前記筐体に取り付けられ、交流電源用ソケットに接続する口金と、
前記交流電源用ソケットから前記口金を介して供給された交流電流を直流電流に変換して前記照明用ＬＥＤに供給するＡＣ−ＤＣ変換回路と、
前記照明用ＬＥＤ及び前記報知用ＬＥＤに直流電流を供給する充電電池と、
使用者によって操作される手動操作スイッチと、
前記手動操作スイッチの操作に応じて、前記複数の照明用ＬＥＤ及び前記報知用ＬＥＤの電源を前記ＡＣ−ＤＣ変換回路及び前記充電電池の少なくともいずれかに切り替える制御を行う切替制御回路とを備え、
前記充電電池は、前記ＡＣ−ＤＣ変換回路からの直流電流によって充電され、
前記切替制御回路は、
交流電源用ソケットに前記口金を接続した状態において前記充電電池の充電を行うとともに、前記ＡＣ−ＤＣ変換回路からの直流電流によって前記照明用ＬＥＤを点灯させかつ前記充電電池からの直流電流によって前記報知用ＬＥＤを点灯させる通常状態と、
前記ＡＣ−ＤＣ変換回路からの直流電流が供給されない状態において、前記充電電池からの直流電流によって前記照明用ＬＥＤを点灯させる点灯状態と、
前記ＡＣ−ＤＣ変換回路からの直流電流が供給されない状態において、前記充電電池からの直流電流を遮断して前記照明用ＬＥＤを消灯させる消灯状態と、
のいずれかに切り替え、
前記手動操作スイッチは、前記通常状態、前記点灯状態及び前記消灯状態のいずれかを選択し、
前記報知用ＬＥＤの消費電力は、前記照明用ＬＥＤの消費電力より少ないことを特徴とするＬＥＤ電球。
【請求項２】
前記切替制御回路は、交流電源用ソケットに前記口金を接続した状態において、前記手動操作スイッチが前記点灯状態及び前記消灯状態のいずれかを選択している場合に、前記複数の照明用ＬＥＤ及び前記報知用ＬＥＤを消灯させる制御を行うとともに、前記ＡＣ−ＤＣ変換回路からの直流電流を前記充電電池に供給して前記充電電池を充電することを特徴とする請求項１記載のＬＥＤ電球。
【考案の詳細な説明】
【技術分野】
【０００１】
本考案は、ＬＥＤ電球に関する。
【背景技術】
【０００２】
近年、白熱電球よりも低消費電力でかつ長寿命であるＬＥＤ電球が普及し、白熱電球が取り付けられている電球ソケットに、白熱電球に代わってＬＥＤ電球が取り付けられるようになってきた。
【０００３】
また、従来、この種の技術としては、特許文献１に記載された技術がある。特許文献１には、ＬＥＤの他に充電電池を有し、部屋の天井等に設置したソケットに取り付けることにより通常の白熱ランプと同様な据付型等の照明器具として用いることができ、点灯状態において停電が発生した場合には、ＬＥＤの電源が充電電池に切り替わって点灯状態が維持される。更に、ソケットから取り外した場合には懐中電灯として用いることが可能なＬＥＤランプについて記載されている。
【先行技術文献】
【特許文献】
【０００４】
【特許文献１】特開２０１０−７３３３４号公報
【考案の概要】
【考案が解決しようとする課題】
【０００５】
しかしながら、上述した特許文献１に記載されたＬＥＤランプは、停電になった場合、すなわち交流電源が遮断された場合にＬＥＤランプが点灯するため、例えば、ソケットのスイッチをオフにしてもＬＥＤランプの点灯状態が維持される。このため、例えば、トイレ、浴室のように、室内にソケットが設置されかつ室外にスイッチが設置されている場合には、使用者がスイッチを操作してもＬＥＤランプが消灯しない。ＬＥＤランプを消灯させるためにはＬＥＤランプのスイッチを操作する必要があるが、この場合、使用者が室外に出る前に暗くなってしまい周囲が見えにくくなるおそれがある。このため、白熱電球の代わりとして、トイレ、浴室等の照明に適用することは困難である。
【０００６】
また、特許文献１に記載されたＬＥＤランプを複数箇所の電球ソケットにそれぞれ装着している場合において、停電が発生すると、全てのＬＥＤランプが点灯することになる。このため、懐中電灯として使用しないＬＥＤランプにおける充電電池の消費を抑えるためには、ＬＥＤランプのスイッチを一つ一つオフにする必要がある。しかし、スイッチをオフにしたＬＥＤランプを懐中電灯として使用したい場合には、ＬＥＤランプが消灯しているためＬＥＤランプの位置を把握することが難しい。
【０００７】
そこで、本考案は、このような問題点を解決し、白熱電球の代わりとしての使用勝手を維持するとともに、懐中電灯における電池の消費を抑えつつ懐中電灯の位置を使用者に知らせることを可能にしたＬＥＤ電球を提供することを目的とする。
【課題を解決するための手段】
【０００８】
（１）  複数の照明用ＬＥＤ及び使用者に位置を報知する報知用ＬＥＤを搭載したＬＥＤ基板と、当該ＬＥＤ基板を収納する筐体と、前記筐体に取り付けられ、交流電源用ソケットに接続する口金と、前記交流電源用ソケットから前記口金を介して供給された交流電流を直流電流に変換して前記照明用ＬＥＤに供給するＡＣ−ＤＣ変換回路と、前記照明用ＬＥＤ及び前記報知用ＬＥＤに直流電流を供給する充電電池と、使用者によって操作される手動操作スイッチと、前記手動操作スイッチの操作に応じて、前記複数の照明用ＬＥＤ及び前記報知用ＬＥＤの電源を前記ＡＣ−ＤＣ変換回路及び前記充電電池の少なくともいずれかに切り替える制御を行う切替制御回路とを備え、前記充電電池は、前記ＡＣ−ＤＣ変換回路からの直流電流によって充電され、前記切替制御回路は、交流電源用ソケットに前記口金を接続した状態において前記充電電池の充電を行うとともに、前記ＡＣ−ＤＣ変換回路からの直流電流によって前記照明用ＬＥＤを点灯させかつ前記充電電池からの直流電流によって前記報知用ＬＥＤを点灯させる通常状態と、前記ＡＣ−ＤＣ変換回路からの直流電流が供給されない状態において、前記充電電池からの直流電流によって前記照明用ＬＥＤを点灯させる点灯状態と、前記ＡＣ−ＤＣ変換回路からの直流電流が供給されない状態において、前記充電電池からの直流電流を遮断して前記照明用ＬＥＤを消灯させる消灯状態とのいずれかに切り替え、前記手動操作スイッチは、前記通常状態、前記点灯状態及び前記消灯状態のいずれかを選択し、前記報知用ＬＥＤの消費電力は、前記照明用ＬＥＤの消費電力より少ないことを特徴とするＬＥＤ電球。
【０００９】
（１）によれば、使用者は、必要に応じてＬＥＤ電球を交流電源用ソケットから取り外し、手動操作スイッチを操作して点灯状態又は消灯状態を選択することによって照明用ＬＥＤが点灯、消灯するため、懐中電灯として使用することが可能になる。また、通常状態においては、交流電源用ソケットのスイッチをオンすることにより、照明用ＬＥＤ及び報知用ＬＥＤが点灯し、交流電源用ソケットのスイッチをオフすることにより、報知用ＬＥＤのみが点灯する。このため、白熱電球の使い勝手と変わらないＬＥＤ電球を提供することが可能になる。更に、停電が発生した場合に、報知用ＬＥＤのみが点灯するため充電電池の消費を抑えることが可能になり、また、報知用ＬＥＤの点灯を視認することにより、ＬＥＤ電球の位置を容易に把握することが可能になる。また、交流電源用ソケットのスイッチがオンになっている場合において充電電池が充電されるため、懐中電灯として使用するための電池の容量を確保することが可能になる。
【００１０】
（２）  （１）において、前記切替制御回路は、交流電源用ソケットに前記口金を接続した状態において、前記手動操作スイッチが前記点灯状態及び前記消灯状態のいずれかを選択している場合に、前記複数の照明用ＬＥＤ及び前記報知用ＬＥＤを消灯させる制御を行うとともに、前記ＡＣ−ＤＣ変換回路からの直流電流を前記充電電池に供給して前記充電電池を充電することを特徴とするＬＥＤ電球。
【００１１】
（２）によれば、充電電池の充電のみを行いたい場合には、手動操作スイッチを操作して点灯状態及び消灯状態のいずれかを選択することにより、複数の照明用ＬＥＤ及び報知用ＬＥＤを点灯させることなく充電電池の充電を行うことが可能になる。
【考案の効果】
【００１２】
本考案によれば、白熱電球の代わりとしての使用勝手を維持するとともに、懐中電灯における電池の消費を抑えつつ懐中電灯の位置を使用者に知らせることを可能にしたＬＥＤ電球を提供することが可能になる。
【図面の簡単な説明】
【００１３】
【図１】本考案の一実施形態におけるＬＥＤ電球の外観を示す正面図である。
【図２】本考案の一実施形態におけるＬＥＤ電球の外観を示す斜視図である。
【図３】本考案の一実施形態におけるＬＥＤ電球の平面図である。
【図４】筐体１０に収納される電気系統の構成を示す回路ブロック図である。
【図５】図５はＬＥＤ電球１をトイレの照明に使用した例を示す説明図である。
【考案を実施するための形態】
【００１４】
以下、本考案の実施形態について、図面を参照しながら詳細に説明する。
図１は、本考案の一実施形態におけるＬＥＤ電球の外観を示す正面図、図２は図１の斜視図、図３は図１の平面図である。ＬＥＤ電球１は、筐体１０と、前カバー２０と、口金３０と、手動操作スイッチ４０とを備えている。
【００１５】
筐体１０は、卵形を長軸方向に対して垂直に分割したような形状であり、前部にＬＥＤ基板５０が挿入可能な円形の開口部１２が形成されている。筐体１０内には、ＬＥＤ基板５０が収納される。また、詳細については後述するが、筐体１０内には、ＬＥＤ基板５０の他に、図５に示す、充電ＬＥＤ６０、充電電池６２、ＡＣ−ＤＣ変換回路７０の回路基板、充放電制御回路７２の回路基板、切替制御回路７４の回路基板及び定電流制御回路７６の回路基板等が収納される。また、開口部１２は、ＬＥＤ基板５０が筐体１０に収納された場合に、ＬＥＤ基板５０によって封鎖される。
【００１６】
前カバー２０は、筐体１０における開口部１２の縁部に装着され、ＬＥＤ基板５０をカバーする平面視円形のキャップ体である。前カバー２０は、光透過性を備えた部材からなる。本実施形態によれば、透明のプラスチック材からなる。
【００１７】
口金３０は、筐体１０の下部に取り付けられ、電球ソケット１００（図５参照）に螺合するスパイラルを有する導電性の金属部材である。
【００１８】
手動操作スイッチ４０は、筐体１０の側面に、使用者の操作によってスライド操作可能に設けられている。本実施形態によれば、手動操作スイッチ４０は、ＬＥＤ電球１の中心軸に沿った方向にスライドする。手動操作スイッチ４０は、使用者の操作により、電球ソケットに取り付けて電球として使用する通常状態、電球ソケットから取り外して懐中電灯として使用する際にＬＥＤ５４を消灯させる消灯状態、電球ソケットに取り外して懐中電灯として使用する際にＬＥＤ５４を点灯させる点灯状態の３つの状態のいずれかを選択させるものである。
【００１９】
また、小孔１４が、筐体１０の側面における手動操作スイッチ４０に対して開口部１２側に形成されている。筐体１０の内部には、小孔１４に対向させて充電ＬＥＤ６０が収納されている。
【００２０】
充電ＬＥＤ６０は、充電電池６２（図４参照）の充電状態を点灯態様によって使用者に報知するためのものであり、小孔１４を介して充電ＬＥＤ６０の点灯態様が視認可能となる。本実施形態によれば、充電ＬＥＤ６０は、赤色及び緑色のいずれかに点灯可能である。
【００２１】
また、筐体１０の側面における手動操作スイッチ４０の側方には、通常状態に対応する「ＡＣ・通常使用」という文字情報、消灯状態に対応する「ＯＦＦ・オフ」という文字情報、点灯状態に対応する「ＤＣ・非常灯」という文字情報が印字されている。使用者は、これらの文字情報を見ながら手動操作スイッチ４０を操作する。また、筐体１０の側面における小孔１４の側方には、「充電サイン」という文字情報が印字されている。
【００２２】
次に、図３を参照しながら、ＬＥＤ基板５０におけるＬＥＤ５４の配置について説明する。ＬＥＤ基板５０は、円形の基板５２に２５個のＬＥＤ５４を実装したものである。
【００２３】
基板５２には、中心に報知用ＬＥＤに相当する赤色のＬＥＤ５４が実装されており、この赤色のＬＥＤ５４の周囲に照明用ＬＥＤに相当する２４個の白色のＬＥＤ５４が実装されている。２５個のＬＥＤ５４は、前カバー２０を介して視認可能である。赤色のＬＥＤ５としては、１個の白色のＬＥＤ５４よりも消費電力が小さいものが適用されている。なお、以下の説明の便宜上、赤色のＬＥＤ５４をＬＥＤ５４Ｒ、白色のＬＥＤ５４をＬＥＤ５４Ｗと称することにする。
【００２４】
図４は、筐体１０に収納される電気系統の構成を示す回路ブロック図である。ＬＥＤ電球１は、ＡＣ−ＤＣ変換回路７０、充放電制御回路７２、切替制御回路７４及び定電流制御回路７６を備えている。
【００２５】
ＡＣ−ＤＣ変換回路７０は、交流電流を直流電流に変換する回路である。ＬＥＤ電球１の口金３０（図１参照）を電球ソケット１００（図５参照）に装着することにより、ＡＣ−ＤＣ変換回路７０が商用電源に接続される。そして、ＡＣ−ＤＣ変換回路７０は、商用電源の交流電流を直流電流に変換する。
【００２６】
充放電制御回路７２は、充電電池６２の充電制御を行う回路である。充放電制御回路７２は、ＡＣ−ＤＣ変換回路７０からの直流電流を充電電池６２に供給して充電電池６２を充電するとともに、充電電池６２が満充電状態となった場合に、充電電池６２への直流電流の供給を停止して過充電を防ぐように制御する。また、充放電制御回路７２には充電ＬＥＤ６０が接続されている。充放電制御回路７２は、充電電池６２の充電中において充電ＬＥＤ６０を赤色に点灯させ、充電電池６２の充電完了状態において充電ＬＥＤ６０を緑色に点灯させ、それ以外において充電ＬＥＤ６０を消灯させるように充電ＬＥＤ６０を制御する。
【００２７】
切替制御回路７４は、ＡＣ−ＤＣ変換回路７０からの直流電流の有無及び手動操作スイッチ４０の状態に応じて、ＬＥＤ５４に供給する電源をＡＣ−ＤＣ変換回路７０からの直流電流とするか、充電電池６２からの直流電流とするか、ＬＥＤ５４に直流電流を供給しないようにするかを切り替える制御を行う回路である。
【００２８】
定電流制御回路７６は、２４個のＬＥＤ５４Ｗに安定した直流電流を供給する制御を行う回路である。
【００２９】
次に、切替制御回路７４による制御について説明する。
まず、手動操作スイッチ４０が通常状態を選択しており、かつＬＥＤ電球１が電球ソケット１００（図５参照）に装着され、ＬＥＤ電球１に交流電流が印加されている場合について説明する。
この場合、ＬＥＤ電球１に口金３０を介して印加された交流電流は、ＡＣ−ＤＣ変換回路７０によって直流電流に変換されて、切替制御回路７４に送られる。
【００３０】
切替制御回路７４は、ＡＣ−ＤＣ変換回路７０からの直流電流を充放電制御回路７２及び定電流制御回路７６に供給する。充放電制御回路７２は、ＡＣ−ＤＣ変換回路７０からの直流電流が供給された場合に、充電電池６２の充電制御及び充電ＬＥＤ６０の点灯制御を行う。また、定電流制御回路７６は、ＡＣ−ＤＣ変換回路７０からの直流電流が供給された場合に、直流電流を安定化させる制御を行ってから２４個のＬＥＤ５４Ｗに供給する。ＬＥＤ５４Ｗは直流電流が供給されることにより点灯する。
【００３１】
また、切替制御回路７４は、充電電池６２からの直流電流をＬＥＤ５４Ｒに供給する。これにより、充電電池６２からの直流電流は、切替制御回路７４及び電流制限抵抗７８を介してＬＥＤ５４Ｒに供給され、ＬＥＤ５４Ｒが点灯する。このように、手動操作スイッチ４０が通常状態を選択しており、ＬＥＤ電球１に交流電流が印加されている場合には、ＬＥＤ５４Ｒ、２４個のＬＥＤ５４Ｗ及び充電ＬＥＤ６０が点灯する。
【００３２】
次に、手動操作スイッチ４０が消灯状態及び点灯状態のいずれかを選択しており、かつＬＥＤ電球１が電球ソケットに装着されてＬＥＤ電球１に交流電流が印加されている場合について説明する。
【００３３】
この場合、切替制御回路７４は、ＡＣ−ＤＣ変換回路７０からの直流電流を充放電制御回路７２に供給するが定電流制御回路７６に供給しない。このため、充放電制御回路７２によって、充電電池６２の充電制御及び充電ＬＥＤ６０の点灯制御が行われるが、ＬＥＤ５４Ｗは点灯しない。また、切替制御回路７４は、充電電池６２からの直流電流をＬＥＤ５４Ｒに供給しない。このためＬＥＤ５４Ｒは点灯しない。このように、手動操作スイッチ４０が消灯状態及び点灯状態のいずれかを選択しており、かつＬＥＤ電球１が電球ソケットに装着されてＬＥＤ電球１に交流電流が印加されている場合には、充電ＬＥＤ６０は点灯するが、ＬＥＤ５４Ｒ及び２４個のＬＥＤ５４Ｗは点灯しない。
【００３４】
次に、ＬＥＤ電球１に交流電流が印加されていない場合について説明する。ＬＥＤ電球１に交流電流が印加されていない場合としては、ＬＥＤ電球１が電球ソケットから外されている場合、あるいはＬＥＤ電球１が電球ソケットに装着されていても電球ソケットのスイッチがオフになっている場合がある。なお、ＬＥＤ電球１に交流電流が印加されていない場合には、ＡＣ−ＤＣ変換回路７０からの直流電流は無いため、充電電池６２の充電は行われない。このため、充電ＬＥＤ６０は点灯しない。
【００３５】
ＬＥＤ電球１に交流電流が印加されていない状態でかつ手動操作スイッチ４０が通常状態を選択している場合に、切替制御回路７４は、充電電池６２からの直流電流をＬＥＤ５４Ｒに供給する。このため、ＬＥＤ５４Ｒが点灯するが、ＬＥＤ５４Ｗは点灯しない。
【００３６】
ＬＥＤ電球１に交流電流が印加されていない状態でかつ手動操作スイッチ４０が点灯状態を選択している場合には、切替制御回路７４は、充電電池６２からの直流電流を定電流制御回路７６に供給するが、ＬＥＤ５４Ｒには供給しない。このため、ＬＥＤ５４Ｗが点灯するが、ＬＥＤ５４Ｒは点灯しない。
【００３７】
ＬＥＤ電球１に交流電流が印加されていない状態でかつ手動操作スイッチ４０が消灯状態を選択している場合には、切替制御回路７４は、充電電池６２からの直流電流を定電流制御回路７６及びＬＥＤ５４Ｒに供給しない。このため、ＬＥＤ５４Ｗ及びＬＥＤ５４Ｒは点灯しない。
【００３８】
次に、図５を参照しながらＬＥＤ電球１の使用例について説明する。
図５はＬＥＤ電球１をトイレの照明に使用した例を示す説明図である。トイレの天井に電球ソケット１００が設置されており、この電球ソケット１００から延びる交流電源供給用のリード線１０４に、使用者によって操作されるスイッチ１０２が設置されている。すなわち、電球ソケット１００に装着される電球は、スイッチ１０２によってオン／オフされる。
【００３９】
電球ソケット１００にＬＥＤ電球１を装着する際には、手動操作スイッチ４０を通常状態に切り替えてから装着する。そして、スイッチ１０２がオフの場合には、トイレ内において、ＬＥＤ電球１のＬＥＤ５４Ｒが点灯する。また、使用者が、トイレを使用するため、スイッチ１０２をオンにすると、ＬＥＤ電球１におけるＬＥＤ５４Ｗ及びＬＥＤ５４Ｒが点灯する。また、同時に、充電電池６２の充電が開始される。
【００４０】
仮に、使用者がトイレを使用している間に停電が発生した場合、ＬＥＤ電球１は、ＬＥＤ５４Ｗ及びＬＥＤ５４Ｒが点灯している状態から、ＬＥＤ５４Ｗが消灯してＬＥＤ５４Ｒが点灯する状態に切り替わる。この点灯態様の変化によって使用者は、停電が発生したことを把握することができるとともに、ＬＥＤ５４Ｒの点灯によってＬＥＤ電球１の位置を把握することが可能になる。
【００４１】
そして、使用者は、トイレの使用後に電球ソケット１００からＬＥＤ電球１を外して、手動操作スイッチ４０を点灯状態に切り替える。これにより、ＬＥＤ５４Ｗが点灯する。すなわち、ＬＥＤ電球１は懐中電灯として機能する。
【００４２】
ところで、上述したように、電球ソケットに装着されたＬＥＤ電球１における手動操作スイッチ４０が通常状態である場合、停電時又は電球ソケットのスイッチのオフ時においてＬＥＤ電球１のＬＥＤ５４Ｒが点灯する。ここで、ＬＥＤ５４Ｒの点灯可能な時間は約２０００時間であり、ＬＥＤ５４Ｒによる消費電力は、懐中電灯として使用している場合すなわち２４個のＬＥＤ５４Ｗが点灯している場合の約３００分の１である。このように、ＬＥＤ５４Ｒによる電力消費が極めて少ないため、ＬＥＤ電球１の設置場所を知らせるためにＬＥＤ５４Ｒを点灯させた状態で維持しても、懐中電灯として使用可能な時間が大幅に少なくなることはない。
【００４３】
以上説明したように構成されて本実施形態によれば、使用者は、必要に応じてＬＥＤ電球１を電球ソケット１００から取り外し、手動操作スイッチ４０を操作することにより、ＬＥＤ電球１を懐中電灯として使用することが可能になる。また、通常状態においては、電球ソケット１００のスイッチ１０２をオンすることにより、照明用ＬＥＤ（ＬＥＤ５４Ｗ）及び報知用ＬＥＤ（ＬＥＤ５４Ｒ）が点灯し、電球ソケット１００のスイッチ１０２をオフすることにより、報知用ＬＥＤ（ＬＥＤ５４Ｒ）のみが点灯する。このため、白熱電球の使い勝手と変わらないＬＥＤ電球１を提供することが可能になる。更に、停電が発生した場合に、報知用ＬＥＤ（ＬＥＤ５４Ｒ）のみが点灯するため充電電池６２の消費を抑えることが可能になり、また、報知用ＬＥＤ（ＬＥＤ５４Ｒ）の点灯を視認することにより、ＬＥＤ電球１の位置を容易に把握することが可能になる。また、電球ソケット１００のスイッチ１０２がオンになっている場合において充電電池６２が充電されるため、懐中電灯として使用するための電池の容量を確保することが可能になる。
【００４４】
また、本実施形態によれば、切替制御回路７４が、電球ソケット１００に口金３０を接続した状態において、点灯状態及び前記消灯状態のいずれかの場合に、照明用ＬＥＤ（ＬＥＤ５４Ｗ）及び報知用ＬＥＤ（ＬＥＤ５４Ｒ）を消灯させるとともに、ＡＣ−ＤＣ変換回路７０からの直流電流を充電電池６２に供給して充電電池６２を充電する制御を行う。これにより、充電電池６２の充電のみを行いたい場合には、手動操作スイッチ４０を操作して点灯状態及び消灯状態のいずれかを選択することにより、複数のＬＥＤ５４Ｗ及びＬＥＤ５４Ｒを点灯させることなく充電電池６２の充電を行うことが可能になる。
【符号の説明】
【００４５】
１  ＬＥＤ電球
１０  筐体
１２  開口部
１４  小孔
２０  前カバー
３０  口金
４０  手動操作スイッチ
５０  ＬＥＤ基板
５２  基板
５４、５４Ｒ、５４Ｗ  ＬＥＤ
６０  充電ＬＥＤ
６２  充電電池
７０  ＡＣ−ＤＣ変換回路
７２  充放電制御回路
７４  切替制御回路
７６  定電流制御回路
７８  電流制限抵抗
１００  電球ソケット
１０２  スイッチ
１０４  リード線
【図１】
0003176527.tif 000003
【図２】
0003176527.tif 000004
【図３】
0003176527.tif 000005
【図４】
0003176527.tif 000006
【図５】
0003176527.tif 000007